(57)【要約】【課題】  足裏を優しく刺激する木製の種々の刺激突起を用意し連結可能な木製パネル構成として指圧効果と自由なレイアウトを可能とした木製健康歩道を提供する。【解決手段】  木製四角形基板１〜２１に半球ピン・丸太・蒲鉾板・球形ローラー・波形板のいずれかの形状を有する木製の凸状足裏刺激体１ａ〜２１ａを突設してなるユニットパネル群ＵＰを任意の組み合わせで複数枚連接して任意形状の歩道を形成した木製健康歩道１００である。【選択図】図１
0003114909.tif 000002
【実用新案登録請求の範囲】
【請求項１】
木製の四角形基板に半球ピン・丸太・蒲鉾板・球形ローラー・波形板のいずれかの形状を有する木製の凸状足裏刺激体を突設してなるユニットパネルを任意の組み合わせで複数枚連接して任意形状の歩道を形成したことを特徴とする木製健康歩道。
【請求項２】
上記木製四角形基板の外壁に手摺り枠を立設し、上記手摺り枠における木製握り棒に手のツボを刺激する木製手のひら凸状刺激体を突設したことを特徴とする請求項１記載の木製健康歩道。
【請求項３】
上記木製四角形基板の裏面には滑り止めが施されていることを特徴とする請求項１記載の木製健康歩道。
【請求項４】
上記木製四角形基板及び木製の凸状足裏刺激体は、加圧及び樹脂の含浸処理を施し又は高耐久性木材を使用したことを特徴とする請求項１記載の木製健康歩道。
【考案の詳細な説明】
【技術分野】
【０００１】
本考案は、屋内や屋外・公園等に設置される木製健康歩道に係り、特に、足の裏を優しく刺激する各種凸状足裏刺激体を木製とするとともにユニットパネル構成として自由なレイアウトを可能としたものに関する。
【背景技術】
【０００２】
従来、屋内や屋外・公園等に設置された健康歩道が多く提案されている。その代表的な事例に、公園内などの自然歩道において、間伐丸太材の利用拡大を図り、また、その歩道の丸太上を歩くと健康を増進でき、且つその公園などの自然環境に調和した丸太材利用健康歩道がある。これは、間伐材を均一円柱加工して略同長に切断した複数本の丸太部材１を平面上に並列密着させ、その各丸太部材の各両端部寄り中間部位において、結合手段２を介して一体的に結合させてなる歩道ユニットＵを形成し、この歩道ユニットＵの複数を丸太部材が道行方向に略直角に交差するように地盤に直列配置し、接続する各歩道ユニット同士を、連結手段を介して連結させて丸太敷き遊歩道を形成したものがある（例えば、特許文献１参照。）。
【０００３】
また、運搬設置が容易な足裏刺激のためのユニットパネルとこれによる裸足歩行用歩道としては、低発泡合成樹脂の厚肉基板１０の両側に退避を可能とするアルミ製の退避フレーム１４を配置し、天然石、擬木、天然木等の足裏刺激体２５を配置したユニットパネルＡ１乃至Ａ９をループ状に連結して歩道Ｂが構成されている。そして、足裏刺激体２５は、厚肉基板１０上にセルフレべリング性のセメント床塗り材を流し込み硬化することにより、退避フレーム１４とともに一体的に固定しており、これにより公園等で多数人に使用される裸足歩行用歩道Ｂを簡易に設置できるものがある（例えば、特許文献２参照。）。  
【０００４】
更に、足の裏の全てのツボを刺激できる足踏み健康パネルであって、合成樹脂など適宜素材を以て形成した少なくとも２枚の四辺形板状のパネルからなり、いずれのパネルも四辺には任意の四方向へ相互に連結可能な係合手段を設けるとともに、２枚のパネルのそれぞれの平面には大径・小径の異なる横断面積・形状を有する２種類の突起をその突起の種類ごとにパネルを分けて植立し、当該２種類の異なる横断面積・形状を有する少なくとも２枚のパネルを任意の方向へ相互に連結しその平面上を歩行することにより足の裏の全てのツボを刺激するとともに大脳活動と血液・体液循環にも良好な刺激を与えることができるように構成されたものがある（例えば、特許文献３参照。）。また、この他に、石やコンクリート製の突起等により足裏に刺激を与える健康歩道もある。
【０００５】
【特許文献１】特開２０００−１８６３０３号公報
【特許文献２】特開平６−２２８９１０号公報
【特許文献３】実開平５−４１５４３号公報
【考案の開示】
【考案が解決しようとする課題】
【０００６】
上記従来の構成によると次のような問題があった。まず、健康歩道を木製の間伐丸太材を利用して歩道ユニットとしたものは、各種刺激突起の形状が均一円柱加工されたものであるから、足の裏への刺激の度合いが一定してしまい、足裏刺激による指圧効果が特定されたものとなる。また、低発泡合成樹脂の厚肉基板や合成樹脂など四辺形板状のパネルで構成された健康歩道では、各種刺激突起の形状が足の体重で変形され易いために、充分な指圧効果が得られ難いことがある。また、足の裏の指圧だけに限定されているから、例えば、健康歩道上を歩く人の手に対する指圧効果が全く得られないし、屋外に設置したときの耐久性にも問題があった。また、石やコンクリート製の突起等により足裏に刺激を与える健康歩道の場合には、足への刺激が強すぎて長時間の使用ができず、継続的な使用が見込めないものである。
【０００７】
本考案はこのような点に基づいてなされたものでその目的とするところは、足の裏を優しく刺激する木製の各種形状の凸状足裏刺激体を用意するとともに連結可能な木製パネル構成として変化に富んだ指圧効果と自由なレイアウトを可能とした木製健康歩道を提供することにある。
【課題を解決するための手段】
【０００８】
上記目的を達成するべく本考案の請求項１による木製健康歩道は、木製の四角形基板に半球ピン・丸太・蒲鉾板・球形ローラー・波形板のいずれかの形状を有する木製の凸状足裏刺激体を突設してなるユニットパネルを任意の組み合わせで複数枚連接して任意形状の歩道を形成したことを特徴とするものである。
【０００９】
また、請求項２による木製健康歩道は、請求項１記載の木製健康歩道において、上記木製四角形基板の外壁に手摺り枠を立設し、上記手摺り枠における木製握り棒に手のツボを刺激する木製手のひら凸状刺激体を突設したことを特徴とするものである。
【００１０】
また、請求項３による木製健康歩道は、請求項１記載の木製健康歩道において、上記木製四角形基板の裏面には滑り止めが施されていることを特徴とするものである。
【００１１】
また、請求項４による木製健康歩道は、請求項１記載の木製健康歩道において、上記木製四角形基板及び木製の凸状足裏刺激体は、加圧及び樹脂の含浸処理を施し又は高耐久性木材を使用したことを特徴とするものである。
【００１２】
すなわち、本考案の木製健康歩道によると、表面に木製凸状足裏刺激体を突設した木製四角形基板を複数枚用意し、各々形状の異なる木製凸状足裏刺激体を設けた木製四角形基板を連接して任意形状のユニットパネル群の歩道が容易に形成される。そして、半球ピン・丸太・蒲鉾板・球形ローラー・波形板の種々異なる木製凸状足裏刺激体により、変化に富んだ足裏への指圧作用が得られる。尚、半球ピンについても、大・中・小の３種類のものがあり、それぞれ異なる指圧効果を得ることができる。更に、上記四角形基板及び凸状足裏刺激体は木製であり、足への刺激が柔らかいものとなり、且つ、冬季においても、温かい触感のもとに指圧される。
【００１３】
また、ユニットパネル群における木製四角形基板の外壁に立設した手摺り枠を手で掴むことで、安定した姿勢で木製凸状足裏刺激体上を歩行することができるとともに、手摺り枠の握り棒には木製手のひら凸状刺激体が配置されているから、足裏とともに手のひらへの複合的な指圧作用が得られる。そして、握り棒及び手のひら凸状刺激体は木製であるから、手のひらへの刺激が柔らかいものとなり、且つ、冬季においても、温かい触感のもとに指圧される。
【００１４】
また、木製四角形基板の裏面に滑り止めを施した場合には、室内において床への固定工事がいらず、置くだけで簡単に設置できる。そして、使用時の不用意な滑りが防止されて安全に歩行できる。また、屋外用においては、上記木製四角形基板及び木製の凸状足裏刺激体は、加圧及び樹脂の含浸処理を施し又は高耐久性木材を使用することにより耐久性を高めたから、公園等の屋外へ設置して風雨・直射日光に晒されても木製部分の腐食や劣化が防止されて、耐久性が長期間にわたり維持される。
【考案の効果】
【００１５】
本考案による木製健康歩道によると、木製凸状足裏刺激体を半球ピン・丸太・蒲鉾板・球形ローラー・波形板の異なる木製凸状足裏刺激体としたから、変化に富んだ足裏への指圧効果が得られる。また、四角形基板及び凸状足裏刺激体は木製であり、足への刺激が柔らかいものとなり、且つ、冬季においても、温かい触感のもとに指圧できる。
【００１６】
また、木製四角形基板の外壁に手摺り枠を設けたから、安定した姿勢で木製凸状足裏刺激体上を歩行でき、手摺り枠の握り棒に突設した木製手のひら凸状刺激体により、足裏とともに手のひらへの複合的な指圧効果が得られる。そして、握り棒及び手のひら凸状刺激体は木製であるから、手のひらへの刺激が柔らかいものとなり、且つ、冬季においても、温かい触感のもとに指圧できる。
【００１７】
また、屋内用においては、木製四角形基板の裏面に滑り止めを施したから、使用時の安全性を高めることができる。また、床固定工事なしで設置できるから施工が容易にできる更に、屋外用においては、木製四角形基板及び木製の凸状足裏刺激体は、加圧及び樹脂の含浸処理を施し又は高耐久性木材を使用しているから、屋外に設置して風雨・直射日光に晒されても木製部分の腐食や劣化が防止できる。
【考案を実施するための最良の形態】
【００１８】
以下、図１乃至図１４を参照して本考案の第１の実施の形態を説明する。図１は木製健康歩道の組み合わせ例の一つとしての木製健康歩道１００の全体構成を示し、右手前の位置に、健康歩道１００の入口ＩＮと出口ＯＵＴを備えている。入口の第１木製四角形基板１には、その表面に丸太１ａが等間隔に歩行方向に対して左右に突設した状態で並設されている。これに続く、第２木製四角形基板２には、平板２ａが密に並べられている。続く、第３木製四角形基板３には、小径円筒ローラー３ａが突設した状態で並設されている。そして、第４木製四角形基板４は、平板４ａが密に並べられている。更に、続く、第５木製四角形基板５と第６木製四角形基板６とは、その表面に波形板５ａ，６ａが歩行方向に向けて突設した状態で並設されている。第７木製四角形基板７と第８木製四角形基板８とは、第６木製四角形基板６から直交する方向に接続されており、これらの表面には小径の半球体７ａ，８ａが多数突設されている。続く、第９木製四角形基板９と第１０木製四角形基板１０とは、第８木製四角形基板８から直交する方向に接続されており、その表面には蒲鉾板９ａ，１０ａが等間隔に歩行方向に直角に突設されている。
【００１９】
上記第１０木製四角形基板１０から直交する方向に、第１１木製四角形基板１１と第１２木製四角形基板１２とが接続され、各表面には、丸太１１ａ，１２ａが並設されている。第１２木製四角形基板１２から直交する方向に、第１３木製四角形基板１３と第１４木製四角形基板１４とが接続され、この表面に大径の半球体１３ａ，１４ａが多数突設されている。更に、第１４木製四角形基板１４に続いては、第１５木製四角形基板１５と第１６木製四角形基板１６とが接続され、この表面には波形板１５ａ，１６ａが歩行方向に直角に突設されている。更に、第１６木製四角形基板１６に続いては、第１７木製四角形基板１７と第１８木製四角形基板１８とが接続され、この表面には蒲鉾板１７ａ，１８ａが歩行方向に向けて突設されている。そして、第１８木製四角形基板１８から直交する方向には、第１９木製四角形基板１９と第２０木製四角形基板２０とが接続され、この表面には中径の半球体１９ａ，２０ａが多数突設されている。最後の出口ＯＵＴとなる第２１木製四角形基板２１には、丸太２１ａが等間隔に歩行方向に向けて突設されている。
【００２０】
上記木製健康歩道１００において、ユニットパネル群ＵＰを構成する第１木製四角形基板１〜第２１木製四角形基板２１の外側面に手摺り枠３０，３２が立設されている。上記手摺り枠３２に水平配置した握り棒３２ａには、手のツボを刺激する多数の小突起からなる木製手のひら凸状刺激体３２ｔが付設されている。
【００２１】
上記木製健康歩道１００において、屋外や公園等に設置する場合は、上記木製四角形基板１〜２１を耐久性を高め、防腐防止・割れ止め作用を得るために、加圧及び樹脂の含浸処理を施している。具体的には、高圧下で木質材料の処理すべき表面及び内部に樹脂液を注入したものである。また、耐久性を高め、防腐防止・割れ止め作用を得るために、ハードウッドと称される高耐久性木材を使用することもできる。
【００２２】
続いて、図２〜図１３を参照して上記木製四角形基板１〜２１の詳細構成を説明する。先ず、図２に健康歩道装置１００の入口ＩＮと出口ＯＵＴに配置した第１木製四角形基板１と第２１木製四角形基板２１を示す。木製角材１ｂを長方形状の四角形枠とし、この四角枠組の表面に６本の丸太１ａを等間隔に固設し、その隙間に背の低い４枚の平板１ｃが固設されている。長方形の四角形枠の寸法は、７０ｃｍ×１５０ｃｍとしている。この丸太１ａによると、足裏の広い範囲を同時に刺激する指圧効果が得られる。
【００２３】
また、図３に第２木製四角形基板２と第３木製四角形基板３と第４木製四角形基板４を示す。木製角材２ｂを長方形状の四角形枠とし、この四角形枠の表面左右に平板２ａと平板４ａが密に並べたものである。そして、中央位置には小径の球形ローラー３ａが並設されている。球形ローラー３ａは一列ごとに軸部に回転可能に取り付けられ軸部を四角形枠の両側で支持している。この球形ローラー３ａによると、足裏全体で球面に滑らせながら擦りつけることで広範囲のマッサージ効果が得られる。
【００２４】
また、図４に第５木製四角形基板５と第６木製四角形基板６を示す。木製角材５ｂを長方形状の四角形枠とし、この四角形枠の表面に各々４本の波形板５ａ，６ａが歩行方向に向けて等間隔に並設されている。各波形板５ａ，６ａの隙間に背の低い４枚の平板５ｃ，６ｃが固設されている。この波形板５ａ，６ａによると、足裏を乗せた位置に応じて前後の異なる部分の指圧効果が得られる。
【００２５】
また、図５に第７木製四角形基板７と第８木製四角形基板８を示す。木製角材７ｂを長方形の四角形枠とし、この四角形枠の表面には、小径の半球体７ａ，８ａを多数突設した各々８枚の指圧用のユニットＵ１が歩行方向と直交する方向に固設されている。この小径の半球体７ａ，８ａによると、狭い間隔で足裏の複数箇所を同時に指圧する効果が得られる。
【００２６】
また、図６に第９木製四角形基板９と第１０木製四角形基板１０を示す。木製角材９ｂを長方形の四角形枠とし、この四角形枠の表面に歩行方向と直交する方向に蒲鉾板９ａ，１０ａが等間隔に並設されている。蒲鉾板９ａ，１０ａは中央が高く前後に行くにつれて次第に低く設定されている。また、それらの隙間に背の低い平板９ｃが固設されている。長方形の四角形枠の寸法は、７０ｃｍ×１５０ｃｍとしている。この蒲鉾板９ａ，１０ａによると、足裏の左右方向の比較的狭い範囲を集中的に指圧する効果がある。
【００２７】
また、図７に第１１木製四角形基板１１と第１２木製四角形基板１２を示す。木製角材１１ｂを長方形の四角形枠とし、この四角形枠の表面に６本の丸太１１ａ，１２ａが等間隔に固設され、その隙間に背の低い４枚の平板１１ｃが固設されている。長方形の四角形枠の寸法は、７０ｃｍ×１５０ｃｍとしている。この丸太１１ａ，１２ａによると、足裏で横乗りする形となり、足裏の広い範囲を同時に刺激する指圧効果が得られる。
【００２８】
また、図８に第１３木製四角形基板１３と第１４木製四角形基板１４を示す。木製角材１３ｂを長方形の四角形枠とし、この四角形枠の表面に大径の半球体１３ａ，１４ａを多数突設したユニットＵ２が歩行方向と直交する方向に固設されている。この大径の半球体７ａ，８ａによると、足裏の特定の箇所を広い範囲で指圧する効果が得られる。
【００２９】
また、図９に第１５木製四角形基板１５と第１６木製四角形基板１６を示す。木製角材１５ｂを長方形の四角形枠とし、この四角形枠の表面に８本の波形板１５ａ，１６ａが歩行方向と直交する方向に等間隔に並設されている。各波形板１５ａ，１６ａの隙間に背の低い多数枚の平板１５ｃが固設されている。この波形板１５ａ，１６ａによると、足裏を乗せた位置に応じて左右の異なる部分の指圧効果が得られる。
【００３０】
また、図１０に第１７木製四角形基板１７と第１８木製四角形基板１８を示す。木製角材１７ｂを長方形の四角形枠とし、この四角形枠の表面に８本の蒲鉾板１７ａ，１８ａが歩行方向と平行方向に等間隔に並設されている。蒲鉾板１７ａ，１８ａは中央が高く両側に行くに従って低くなるように設定されている。各蒲鉾板１７ａ，１８ａの隙間に背の低い多数枚の平板１７ｃが固設されている。この蒲鉾板１７ａ，１８ａによると、足裏の前後方向の比較的狭い範囲を集中的に指圧する効果がある。
【００３１】
また、図１１に第１９木製四角形基板１９と第２０木製四角形基板２０を示す。木製角材１９ｂを長方形の四角形枠とし、この四角形枠の表面に中径の半球体１９ａ，２０ａを多数突設したユニットＵ３が歩行方向と直交する方向に固設されている。この半球体１９ａ，２０ａによると足裏の特定の箇所を比較的狭い範囲で指圧する効果が得られる。
【００３２】
次に、図１２と図１３を参照して上記木製健康歩道１００における第１木製四角形基板１〜第２１木製四角形基板２１の外側面に取り付けらている手摺り枠３０，３２の構成を説明する。上記手摺り枠３０は、シングルタイプで逆Ｕ字形に加工したものである。また、上記手摺り枠３２は、ダブルタイプで２つの逆Ｕ字形に加工したものである。上記手摺り枠３０，３２は、その下端部に取付金具Ｋの中腹部を係止した状態で第１木製四角形基板１〜第２１木製四角形基板２１の外側面に、ボルト・木ネジ等の締結手段で取付けられている。また、図１３に示すように、上記手摺り枠３２の一部には、水平配置した握り棒３２ａに、手のツボを刺激する多数の小突起からなる木製手のひら凸状刺激体３２ｔが突設されている。
【００３３】
以上の構成を基にその作用を説明する。図１に示すように、本考案の木製健康歩道１００によると、木製四角形基板１〜２１の表面に半球ピン・丸太・蒲鉾板・球形ローラー・波形板のいずれかの木製凸状足裏刺激体１ａ〜２１ａを突設してなるユニットパネルを任意の組み合わせで複数枚連接して任意形状のユニットパネルＵＰ群を形成したので、歩行の順番で足裏への当たり方が異なる指圧効果、具体的には半球ピン（大・中・小のものがある）による指圧効果、丸太による指圧効果、蒲鉾板による指圧効果、球形ローラーによる指圧効果、波形板による指圧効果が順次得られ、種々異なる刺激による複合的な指圧効果か得られる。また、木製の凸状足裏刺激体による足裏への優しく温かい触感による指圧効果が得られ、冬季においても、温かい触感のもとに指圧される。
【００３４】
更に、各ユニットパネルＵＰ群の外壁に立設した手摺り枠３０，３２を両手で掴む事で、安定した姿勢で木製凸状足裏刺激体１ａ〜２１ａ上を歩行することができるとともに、手摺り枠３２の握り棒３２ａには木製手のひら凸状刺激体３２ｔが配置されているから、足裏とともに手のひらへの複合的な指圧作用が得られる。そして、握り棒及び手のひら凸状刺激体は木製であるから、手のひらへの刺激が柔らかいものとなり、且つ、冬季においても、温かい触感のもとに指圧される。
【００３５】
更に、木製四角形基板１〜２１及び木製の凸状足裏刺激体は、加圧及び樹脂の含浸処理を施し又は高耐久性木材を使用することにより、公園等の屋外に設置して風雨・直射日光に晒されても木製部分が腐食や劣化しない。
【００３６】
上記本実施の形態によると次のような効果を奏する。まず、木製健康歩道１００は、木製四角形基板１〜２１の表面に突設した形状の異なる数種類の木製凸状足裏刺激体（半球ピン・丸太・蒲鉾板・球形ローラー・波形板１ａ〜２１ａにより、木製凸状足裏刺激体を半球ピン・丸太・蒲鉾板・球形ローラー・波形板の異なる木製凸状足裏刺激体としたから、変化に富んだ足裏への指圧効果が得られる。また、上記四角形基板及び凸状足裏刺激体は木製であり、足への刺激が柔らかいものとなり、且つ、冬季においても、温かい触感のもとに指圧できる。
【００３７】
また、各木製四角形基板１〜２１の外壁に立設する手摺り枠３０，３２及びこの握り棒３２ａに木製手のひら凸状刺激体３２ｔが配置されているから、足裏とともに手のひらへの複合的な指圧効果が得られる。そして、握り棒及び手のひら凸状刺激体は木製であるから、手のひらへの刺激が柔らかいものとなり、且つ、冬季においても、温かい触感のもとに指圧できる。
【００３８】
また、木製四角形基板及び木製凸状足裏刺激体は、加圧及び樹脂の含浸処理を施し又は高耐久性木材を使用することにより耐久性を高めたから、公園等の屋外に設置して風雨・直射日光に晒されても木製部分の腐食や劣化が防止でき、健全性が長期間にわたり維持できる。
【００３９】
尚、本考案による木製健康歩道は上記の実施の形態に限定されない。例えば、足裏のツボを指圧する木製凸状足裏刺激体１ａ〜２１ａや手のツボを刺激する木製手のひら凸状刺激体３２ｔの形状や個数は、上記実施の形態のものに限定されず、任意に設定することができる。
【００４０】
また、屋外用として公園等の様々な場所に設置をする場合には、図１４に示すように、地表４０に基礎コンクリート５０や基礎ブロック６０を敷設し、この基礎コンクリート５０や基礎ブロック６０上に木製角材１ｂ〜２１ｂをアンカーボルトＢにより固設し、これに各木製四角形基板１〜２１を固着する。このようにすれば、より安全な敷設ができる。また、この基礎コンクリート５０や基礎ブロック６０上に木製角材１ｂ〜２１ｂを接着固定し、これに各木製四角形基板１〜２１を固着することもできる。
【００４１】
次に、図１５乃至図２２を参照して本考案の第２の実施の形態を説明する。このものは、屋内に設置する小型・簡易型の木製健康歩道２００である。図１５は木製健康歩道の組み合わせ例の一つとしての木製健康歩道２００の全体構成を示し、入口と出口の位置は特に決められておらず、方形に配置されている。仮に手前右側を入口とすると、入口の第１木製四角形基板１０１には、その表面に小径の半球体１０１ａが多数突設されている。これに続く、第２木製四角形基板１０２には、中径の半球体１０２ａが多数突設されている。続く、第３木製四角形基板１０３には、波形板１０３ａが歩行方向に向けて突設した状態で並設されている。そして、第４木製四角形基板１０４には、大径の半球体１０４ａが多数突設されている。
【００４２】
更に、第５木製四角形基板１０５には、丸太１０５ａが歩行方向に向けて突設した状態で並設されている。続く第６木製四角形基板１０６には、小径の半球体１０６ａが多数突設されている。このように、同じ構成のものを再度設けても良いものである。続く、第７木製四角形基板１０７には、蒲鉾板１０７ａが歩行方向と直交する方向に向けて突設されている。続く、第８木製四角形基板１０８には、中径の半球体１０２ａが多数突設されている。
【００４３】
また、続く、第９木製四角形基板１０９には、波形板１０９ａが歩行方向に向けて突設した状態で並設されている。続く、第１０木製四角形基板１１０には、この表面に小径の球形ローラー１１０ａが多数突設されている。続いて、最初の入口の第１木製四角形基板１０１に戻るようになっている。
【００４４】
上記木製健康歩道２００においては、このように、同じ構成の木製四角形基板を複数箇所設けても良いものである。また、ユニットパネル群ＵＰを構成する第１木製四角形基板１０１〜第１０木製四角形基板１１０の内外側面に、図示はしないが手摺り枠を立設し、手摺り枠に水平配置した握り棒に、手のツボを刺激する多数の小突起からなる木製手のひら凸状刺激体を付設することもできる。その構成は上記第１の実施の形態と同様であり、その説明は省略する。また、屋内用は上記木製四角形基板１０１〜１１０の裏面に滑り止め（ラバー材）Ｒが施されている。これにより、床への固定工事がいらず、置くだけの簡単設置が可能となる。尚、上記木製四角形基板１０１〜１１０の裏面は木製のままとしても良いし、複数本のリブにより格子状に形成する等、他の方法で滑り止めを施しても良い。更に、必要であれば、木製四角形基板１０１〜１１０同士をボルトナット等の連結手段を用いて連結し、さらに安定して固定しても良い。
【００４５】
続いて、図１６〜図２２を参照して上記木製四角形基板１０１〜１１０の詳細構成を説明する。図１６は、第１木製四角形基板１０１と第６木製四角形基板１０６の構成を示すものである。まず、四角形状木枠よりなる木製正方形板１０１ｂ，１０６ｂがあり、この表面には、小径の半球体１０１ａ，１０６ａを多数突設した５枚の指圧用のユニットＵ１１が歩行方向と直交する方向に固設されている。また、木製四角形基板１０１，１０６の裏面には滑り止め（ラバー材）Ｒが貼り付けられている。尚、木製正方形板１０１ｂ，１０６ｂの寸法は、７２５ｃｍ×７２５ｃｍとしている。（以下、各木製四角形基板も同じ寸法である。）この小径の半球体１０１ａ，１０６ａによると、狭い間隔で足裏の複数箇所を同時に指圧する効果が得られる。
【００４６】
また、図１７は、第２木製四角形基板１０２と第８木製四角形基板１０８の構成を示すものである。まず、木製正方形板１０２ｂ，１０８ｂがあり、この表面には、中径の半球体１０２ａ，１０８ａを多数突設したユニットＵ１２が歩行方向と直交する方向に固設されている。また、木製四角形基板１０２，１０８の裏面には滑り止め（ラバー材）Ｒが貼り付けられている。この中径の半球体１０２ａ，１０８ａによると足裏の特定の箇所を比較的狭い範囲で指圧する効果が得られる。
【００４７】
また、図１８は、第３木製四角形基板１０３と第９木製四角形基板１０９の構成を示している。まず、木製正方形板１０３ｂ，１０９ｂがあり、この表面に各々４本の波形板１０３ａ，１０９ａが歩行方向に向けて等間隔に並設されている。各波形板１０３ａ，１０９ａの隙間に背の低い４枚の平板１０３ｃ，１０９ｃが固設されている。また、木製四角形基板１０３，１０９の裏面には滑り止め（ラバー材）Ｒが貼り付けられている。この波形板１０３ａ，１０９ａによると、足裏を乗せた位置に応じて前後の異なる部分の指圧効果が得られる。
【００４８】
また、図１９は、第４木製四角形基板１０４の構成を示している。まず、木製正方形板１０４ｂがあり、この表面に大径の半球体１０４ａを複数突設した５枚の指圧用のユニットＵ１３が歩行方向と直交する方向に固設されている。また、木製四角形基板１０４の裏面には滑り止め（ラバー材）Ｒが貼り付けられている。この大径の半球体１０４ａによると、足裏の特定の箇所を広い範囲で指圧する効果が得られる。
【００４９】
また、図２０は、第５木製四角形基板１０５の構成を示している。まず、木製正方形板１０５ｂがあり、この表面に３本の丸太１０５ａが等間隔に固設され、その隙間に背の低い４枚の平板１０５ｃが固設されている。また、木製四角形基板１０５の裏面には滑り止め（ラバー材）Ｒが貼り付けられている。この丸太１０５ａによると、足裏で縦乗りする形となり、足裏の広い範囲を前後方向に同時に刺激する指圧効果が得られる。
【００５０】
また、図２１は、第７木製四角形基板１０７の構成を示している。まず、木製正方形板１０７ｂがあり、この表面に歩行方向と直交する方向に複数（一例として４本）の蒲鉾板１０７ａが等間隔に並設されている。蒲鉾板１０７ａは中央が高く前後に行くにつれて次第に低く設定されている。また、それらの隙間に背の低い平板１０７ｃが固設されている。また、木製四角形基板１０７の裏面には滑り止め（ラバー材）Ｒが貼り付けられている。この蒲鉾板１０７ａによると、足裏の左右方向の比較的狭い範囲を集中的に指圧する効果が得られる。
【００５１】
また、図２２は、第１０木製四角形基板１１０の構成を示している。まず、木製正方形板１１０ｂがあり、この表面に小径の球形ローラー１１０ａが並設されている。小径の球形ローラー１１０ａは左右に配置され、中央位置には平板１１０ｃが設けられている。球形ローラー１１０ａは一列ごとに軸部によって回転可能に取り付けられ、軸部が両側で支持されている。また、木製四角形基板１１０の裏面には滑り止め（ラバー材）Ｒが貼り付けられている。この球形ローラー１１０ａによると、足裏全体で球面に滑らせながら擦りつけることで広範囲のマッサージ効果が得られる。
【００５２】
以上の構成を基にその作用を説明する。図１５に示すように、本考案の木製健康歩道２００によると、木製四角形基板１０１〜１１０の表面に半球ピン・丸太・蒲鉾板・球形ローラー・波形板のいずれかの木製凸状足裏刺激体１０１ａ〜１１０ａを突設してなるユニットパネルを任意の組み合わせで複数枚連接して任意形状のユニットパネルＵＰ群を形成したので、歩行の順番で足裏への当たり方が異なる指圧効果、具体的には半球ピン（大・中・小のものがある）による指圧効果、丸太による指圧効果、蒲鉾板による指圧効果、球形ローラーによる指圧効果、波形板による指圧効果が順次得られ、種々異なる刺激による複合的な指圧効果か得られる。また、木製の凸状足裏刺激体による足裏への優しく温かい触感による指圧効果が得られる。木製四角形基板の裏面に滑り止めを施した場合には、室内において床への固定工事がいらず、置くだけで簡単に設置できる。そして、使用時の不用意な滑りが防止されて安全に歩行できる。
【００５３】
以上本実施の形態によると次のような効果を奏する。まず、木製健康歩道２００は、木製四角形基板１０１〜１１０の表面に突設した形状の異なる数種類の木製凸状足裏刺激体（半球ピン・丸太・蒲鉾板・球形ローラー・波形板１０１ａ〜１１０ａ）としたから、変化に富んだ足裏への指圧効果が得られる。また、上記四角形基板及び凸状足裏刺激体は木製であり、足への刺激が柔らかいものとなり、且つ、冬季においても、温かい触感のもとに指圧できる。また、木製四角形基板１０１〜１１０の裏面に滑り止めを施した場合には、使用時の安全性を高めることができる。また、床固定工事なしで設置できるから施工が容易にできる。
【産業上の利用可能性】
【００５４】
本考案の木製健康歩道１００、２００は、主に屋内・屋外で健康増進用として設置されるものを例に挙げて説明したが、それに限定されるものではなく、病院におけるリハビリ用機器として使用したり、スポーツクラブ内に設置してトレーニンク用機器としても使用できる。
【図面の簡単な説明】
【００５５】
【図１】本考案の第１の実施の形態を示す図で木製健康歩道の斜視図である。
【図２】本考案の第１の実施の形態を示す図で第１及び第２木製四角形基板の平面図と正面図と右側面図である。
【図３】本考案の第１の実施の形態を示す図で第２〜第４木製四角形基板板との平面図とローラー部の正面図とローラー部の詳細側面図である。
【図４】本考案の第１の実施の形態を示す図で第５及び第６木製四角形基板との平面図と正面図と右側面図である。
【図５】本考案の第１の実施の形態を示す図で第７及び第８木製四角形基板との平面図と正面図と右側面図及びこの部分平面図と正面図である。
【図６】本考案の第１の実施の形態を示す図で第９及び第１０木製四角形基板との平面図と正面図と右側面図である。
【図７】本考案の第１の実施の形態を示す図で第１１及び第１２木製四角形基板との平面図と正面図と右側面図である。
【図８】本考案の第１の実施の形態を示す図で第１３及び第１４木製四角形基板との平面図と正面図と右側面図と部分平面図及びこの正面図である。
【図９】本考案の第１の実施の形態を示す図で第１５及び第１６木製四角形基板との平面図と正面図と右側面図である。
【図１０】本考案の第１の実施の形態を示す図で第１７及び第１８木製四角形基板との平面図と正面図と右側面図である。
【図１１】本考案の第１の実施の形態を示す図で第１９及び第２０木製四角形基板との平面図と正面図と右側面図とこの部分平面図及び正面図である。
【図１２】本考案の第１の実施の形態を示す図で手摺り枠の平面図と正面図である。
【図１３】本考案の第１の実施の形態を示す図で手摺り枠の握り棒に木製凸状刺激体を取り付けた平面図と正面図である。
【図１４】本考案の第１の実施の形態を示す図で基礎コンクリートとの固設状態の断面図である。
【図１５】本考案の第２の実施の形態を示す図で木製健康歩道の斜視図である。
【図１６】本考案の第２の実施の形態を示す図で第１０１木製四角形基板及び第１０６木製四角形基板の平面図と正面図と右側面図である。
【図１７】本考案の第２の実施の形態を示す図で第１０２木製四角形基板板及び第１０８木製四角形基板の平面図と正面図と右側面図である。
【図１８】本考案の第２の実施の形態を示す図で第１０３木製四角形基板板及び第１０９木製四角形基板の平面図と正面図と右側面図である。
【図１９】本考案の第２の実施の形態を示す図で第１０４木製四角形基板の平面図と正面図と右側面図である。
【図２０】本考案の第２の実施の形態を示す図で第１０５木製四角形基板の平面図と正面図と右側面図である。
【図２１】本考案の第２の実施の形態を示す図で第１０７木製四角形基板の平面図と正面図と右側面図である。
【図２２】本考案の第２の実施の形態を示す図で第１１０木製四角形基板の平面図と断面図と右側面図である。
【符号の説明】
【００５６】
１〜２１            第１木製四角形基板〜第２１木製四角形基板
１０１〜１１０      第１０１木製四角形基板〜第１１０木製四角形基板
１ａ                丸太
１ｂ〜２１ｂ        木製角材
１ｃ                平板
２ａ                平板
３ａ                球形ローラー
４ａ                平板
５ａ，６ａ          波形板
５ｃ，６ｃ          平板
７ａ，８ａ          小径の半球体
９ａ，１０ａ        蒲鉾板
１７ａ，１８ａ      蒲鉾板
１１ａ              丸太
１３ａ，１４ａ      大径の半球体
１５ａ，１６ａ      波形板
１９ａ，２０ａ      中径の半球体
３０，３２          手摺り枠
３２ａ              握り棒
３２ｔ              木製手のひら凸状刺激体
４０                地表
５０                基礎コンクリート
６０                基礎ブロック
１００              木製健康歩道
Ｂ                  アンカーボルト
Ｒ                  滑り止め（ラバー材）
Ｕ１〜Ｕ３          ユニット
Ｕ１１〜Ｕ１３      ユニット
ＵＰ                ユニットパネル群
【図１】
0003114909.tif 000003
【図２】
0003114909.tif 000004
【図３】
0003114909.tif 000005
【図４】
0003114909.tif 000006
【図５】
0003114909.tif 000007
【図６】
0003114909.tif 000008
【図７】
0003114909.tif 000009
【図８】
0003114909.tif 000010
【図９】
0003114909.tif 000011
【図１０】
0003114909.tif 000012
【図１１】
0003114909.tif 000013
【図１２】
0003114909.tif 000014
【図１３】
0003114909.tif 000015
【図１４】
0003114909.tif 000016
【図１５】
0003114909.tif 000017
【図１６】
0003114909.tif 000018
【図１７】
0003114909.tif 000019
【図１８】
0003114909.tif 000020
【図１９】
0003114909.tif 000021
【図２０】
0003114909.tif 000022
【図２１】
0003114909.tif 000023
【図２２】
0003114909.tif 000024